(57)【要約】【課題】移動中のセルサーチを効率化し、消費電流を低減する。【解決手段】移動通信端末は、移動経路と該移動経路を移動中に選択した待ち受けセルとを関連付けて記録し、移動経路情報（Ｃ０１→Ｃ１３→Ｃ１１→Ｃ２２→Ｃ２１→Ｃ３３）として記憶しておく。既知の移動経路を移動中と判定した場合、移動通信端末は、受信品質が十分でない場合を除き、異周波数Ｆ２の測定や同周波数Ｆ１のその他の隣接セルの測定を行わず、移動経路情報の現在位置（Ｃ０１）に対応する待ち受け候補セル（Ｃ１３）を対象としてセルサーチを実行する。【選択図】図１０
2007228242.tif 000002
【特許請求の範囲】
【請求項１】
移動経路と該移動経路を移動中に再選択した待ち受けセルとを関連付けて記録する移動経路情報を更新する手段と、
前記移動経路情報に記録された既知の移動経路を移動中か否かを判定する手段と、を備え、
前記既知の移動経路の移動中は、前記移動経路情報の現在位置に対応する待ち受け候補セルを対象としたセルサーチを実行すること、
を特徴とする移動通信端末。
【請求項２】
前記移動経路情報の前記各待ち受けセルと関連付けられた、前記各待ち受けセルから同周波数の隣接セルへ再選択した実績の有無を示す同周波数内セル再選択実績情報を、セル再選択の際に更新し、
前記既知の移動経路の移動中は、前記同周波数内セル再選択実績情報を参照して、同周波数内セルを対象とするセルサーチの要否を判断すること、
を特徴とする請求項１に記載の移動通信端末。
【請求項３】
前記同周波数内セル再選択実績情報とともに、再選択したセルの履歴を記録し、
前記再選択したセルの履歴に含まれるセルをセルサーチ対象とすること、
を特徴とする請求項２に記載の移動通信端末。
【請求項４】
前記移動経路情報の前記各待ち受けセルと関連付けられた、前記各待ち受けセルから異周波数の隣接セルへ再選択した実績の有無を示す異周波数間セル再選択実績情報を、セル再選択の際に更新し、
前記既知の移動経路の移動中は、前記異周波数内セル再選択実績情報を参照して、異周波数内セルを対象とするセルサーチの要否を判断すること、
を特徴とする請求項１に記載の移動通信端末。
【請求項５】
前記異周波数内セル再選択実績情報とともに、再選択したセルの履歴を記録し、
前記再選択したセルの履歴に含まれるセルをセルサーチ対象とすること、
を特徴とする請求項４に記載の移動通信端末。
【請求項６】
前記移動経路情報の前記各待ち受けセルと関連付けられた、前記各待ち受けセルから異システムの隣接セルへ再選択した実績の有無を示す異システム間セル再選択実績情報を、セル再選択の際に更新し、
前記既知の移動経路の移動中は、前記異システム間セル再選択実績情報を参照して、異周波数内セルを対象とするセルサーチの要否を判断すること、
を特徴とする請求項１に記載の移動通信端末。
【請求項７】
待ち受け候補セルの通信品質値を算出する手段を備え、
前記待ち受けセルの通信品質値が上側の第１しきい値を超える場合には、セルサーチを抑止し、
前記待ち受けセルの通信品質値が下側の第２しきい値以下の場合には、セルサーチを実行し、
前記待ち受けセルの通信品質値が、前記第１、第２しきい値の間にある場合には、前記同周波数内セル再選択実績情報、前記異周波数間セル再選択実績情報、前記異システム間セル再選択実績情報の順で、再選択実績のあるセルを優先的に対象としてセルサーチを実行すること、
を特徴とする請求項２乃至６いずれか一に記載の移動通信端末。
【請求項８】
前記待ち受けセルの通信品質値が、第３のしきい値で区分される前記第１、第２しきい値の間の上側区間にある場合には、前記再選択したセルの履歴に含まれるセルを対象としたセルサーチを実行すること、
を特徴とする請求項７に記載の移動通信端末。
【請求項９】
ＧＰＳシステムと接続可能であり、前記ＧＰＳシステムから取得した位置情報を用いて、前記移動経路情報を更新するとともに、前記ＧＰＳシステムから取得した位置情報により前記既知の移動経路を移動中か否かを判定すること、
を特徴とする請求項１乃至８いずれか一に記載の移動通信端末。
【請求項１０】
カーナビゲーションシステムと接続可能であり、前記カーナビゲーションシステムから取得した位置情報を用いて、前記移動経路情報を更新するとともに、前記カーナビゲーションシステムから取得した位置情報により前記既知の移動経路を移動中か否かを判定すること、
を特徴とする請求項１乃至８いずれか一に記載の移動通信端末。
【請求項１１】
近距離無線通信手段を備え、前記近距離無線通信手段より入力される位置情報を用いて、前記移動経路情報を更新するとともに、前記近距離無線通信手段より入力される位置情報により前記既知の移動経路を移動中か否かを判定すること、
を特徴とする請求項１乃至８いずれか一に記載の移動通信端末。
【請求項１２】
移動通信端末において実施するセルサーチ方法であって、
前記移動通信端末が、移動経路と該移動経路を移動中に選択した待ち受けセルとを関連付けて記録し、既知の移動経路の移動経路情報として記憶するステップと、
前記移動通信端末が、前記既知の移動経路を移動中か否かを判定するステップと、を含み、
前記移動通信端末は、前記既知の移動経路を移動中と判定した場合に、前記移動経路情報の現在位置に対応する待ち受け候補セルを対象としたセルサーチを実行すること、
を特徴とするセルサーチ方法。
【請求項１３】
移動通信端末に実行させるプログラムであって、
移動経路と該移動経路を移動中に選択した待ち受けセルとを関連付けて記録し、既知の移動経路の移動経路情報として記憶する処理と、
前記既知の移動経路を移動中か否かを判定する処理と、
前記既知の移動経路を移動中と判定した場合に、前記移動経路情報の現在位置に対応する待ち受け候補セルを対象としたセルサーチを実行する処理とを、
前記移動通信端末に実行させるプログラム。
【発明の詳細な説明】
【技術分野】
【０００１】
本発明は、移動通信端末、セルサーチ方法及びプログラムに関し、特に、既知の経路を移動中に効率よく持ち受け候補セルの検出を行う移動通信端末、セルサーチ方法及びプログラムに関する。
【背景技術】
【０００２】
ＣＤＭＡ（Ｃｏｄｅ  Ｄｉｖｉｓｉｏｎ  Ｍｕｌｔｉｐｌｅ  Ａｃｃｅｓｓ：符号分割多元接続）方式により無線接続する移動体通信システムでは、周波数とコード（スクランブリングコード）により識別されるセルと呼ばれる無線ゾーンを１つのエリアとして通信エリアを形成している。各セルは基地局により管理され、各基地局は基地局制御装置により制御される。
【０００３】
これに対し、携帯電話装置等の移動局は移動しても常にサービスが受けられるように、基地局から報知された隣接セル情報に含まれる周波数とコードにより、待ち受けセル（Ｓｅｒｖｉｎｇ  Ｃｅｌｌ：サービングセル）に隣接するセルを検出する周辺セルサーチを行い、共通パイロットチャネル（ＣＰＩＣＨ：Ｃｏｍｍｏｎ Ｐｉｌｏｔ Ｃｈａｎｎｅｌ）の受信レベルＲＳＣＰやＥｃ／Ｎｏ等の測定品質項目を測定して、複数のセルから品質が良いセルを選択する。
【０００４】
待ち受けセルの測定品質がある一定閾値より大きい場合に、待ち受け中に行われる周辺セルサーチを抑止することにより消費電流を低減することができる。例えば、特開２００５−３９３６７号公報には、過去の周辺セルサーチの結果により上記一定閾値を一定幅ずつ下げて行き、無駄なセルサーチを抑止し、消費電流を更に削減する方法が開示されている。
【０００５】
また、所定の経路を移動中の移動局における無線基地局の切り替え方法を開示する特許文献として、特開２００３−１４３６３７号公報がある。また、特開２００３−２８４１１２号公報には、移動局の移動速度を考慮して接続先を選択する方法が開示されている。
【０００６】
【特許文献１】特開２００５−３９３６７号公報
【特許文献２】特開２００３−１４３６３７号公報
【特許文献３】特開２００３−２８４１１２号公報
【発明の開示】
【発明が解決しようとする課題】
【０００７】
ここで、移動局が既知の移動経路を移動するケースを考える。所定のタイミングで、上記周辺セルサーチにより電流が消費され、その結果として複数のセルが検出されたとしても、再選択されるセルはただ一つであり、再選択されなかったセルを検出するための処理は無駄となるという問題点がある。
【０００８】
特に、上記した隣接セル情報として、待ち受けセルの周波数と同じ周波数（同周波数内：Ｉｎｔｒａ−ｆｒｅｑｕｅｎｃｙ）の隣接セル情報だけではなく、待ち受けセルと異なる周波数（異周波数間：Ｉｎｔｅｒ−ｆｒｅｑｕｅｎｃｙ）の隣接セル情報や、待ち受けセルと異なる無線接続制御システム（異システム間：Ｉｎｔｅｒ−ＲＡＴ（Ｉｎｔｅｒ−Ｒａｄｉｏ  Ａｃｃｅｓｓ  Ｔｅｃｈｎｏｌｏｇｙ））の隣接セル情報が設定されている場合には、それぞれ測定を行う必要があるため、その無駄はより大きなものとなる。
【０００９】
また、特許文献２の技術は、同公報の段落００２２〜００２３（特にステップＳ４５）に記載されたとおり、周辺セルサーチ自体を抑止するものではないため、移動局の消費電流の低減効果は少ないと考えられる。従って、同公報の段落００３１に記載されたとおり、周辺セルサーチの結果検出された基地局の中からの移動経路に適った基地局の選択と、基地局の負荷の軽減とをなしえるに過ぎない。
【００１０】
また、特許文献３の技術は、情報通信装置（アクセスポイント）のＩＤとその位置情報と端末の位置とを関連付けて端末側に記憶しておき、情報通信装置（アクセスポイント）と非接続中（同公報図４のステップ４０のＮＯ）、かつ、ユーザの希望する情報通信装置（アクセスポイント）が最寄りにある場合に（同公報図４のステップ４２又は４３１でＹＥＳ）、情報通信装置（アクセスポイント）の探索（Ｉｎｑｕｉｒｙ）を行わずに接続を開始するというものであり、Ｂｌｕｅｔｏｏｔｈ（登録商標）、無線ＬＡＮ等のサービスエリアが疎らな無線通信システムでのみその効果を発揮しうる技術である。
【００１１】
本発明は、上記した各事情に鑑みてなされたものであって、その目的とするところは、移動局が移動している場合において、待ち受けセルになり得る再選択候補セルの検出を効率化し、これに要する消費電流を低減することのできるセルサーチ方法を提供することにある。
【課題を解決するための手段】
【００１２】
本発明の第１の視点によれば、移動経路と該移動経路を移動中に再選択した待ち受けセルとを関連付けて記録する移動経路情報を更新する手段と、前記移動経路情報に記録された既知の移動経路を移動中か否かを判定する手段と、を備え、前記既知の移動経路の移動中は、前記移動経路情報の現在位置に対応する待ち受け候補セルを対象としたセルサーチを実行すること、を特徴とする移動通信端末が提供される。
【００１３】
また、本発明の第２の視点によれば、移動通信端末において実施するセルサーチ方法であって、前記移動通信端末が、移動経路と該移動経路を移動中に選択した待ち受けセルとを関連付けて記録し、既知の移動経路の移動経路情報として記憶するステップと、前記移動通信端末が、前記既知の移動経路を移動中か否かを判定するステップと、を含み、前記移動通信端末は、前記既知の移動経路を移動中と判定した場合に、前記移動経路情報の現在位置に対応する待ち受け候補セルを対象としたセルサーチを実行すること、を特徴とするセルサーチ方法及び該方法を実施するためのプログラムが提供される。
【発明の効果】
【００１４】
本発明によれば、セルの検出が確実化されるとともに、一度移動した経路を再度移動する場合の消費電流が低減され、バッテリーの消耗を抑えることが可能となる。
【発明を実施するための最良の形態】
【００１５】
続いて、本発明を実施するための最良の形態について、図面を参照して詳細に説明する。図１は、本発明の一実施形態に係る移動通信端末の構成を表した図である。図１を参照すると、移動通信端末１は、アンテナ１１、無線受信部１２、セルサーチ処理部１３、セルサーチ制御部１４、移動経路情報記憶部１５、移動経路情報処理部１６を備えて構成されている。
【００１６】
アンテナ１１は、基地局制御装置３により制御される基地局２１、２２、・・２Ｎからの電波を受信し、無線受信部１２は、受信した信号を復調する。セルサーチ処理部１３は、復調信号及びセルサーチ制御部１４からの指示に基づいて複数の基地局から所定のセルを探し出すセルサーチ処理を行い、所定のセルの報知情報を取得する。
【００１７】
セルサーチ制御部１４は、移動経路情報処理部１６から提供された移動経路情報に基づいてセルサーチ処理部１３に対して、後記する方法により決定したセルを対象としたセルサーチ処理を実施するように指示する。また、セルサーチ制御部１４は、セル再選択発生による待ち受けセルの変更が行われた場合、移動経路情報処理部１６に対して、待ち受けセル情報や各種測定情報を提供する。
【００１８】
移動経路情報記憶部１５は、図２に示したように、移動経路毎に、その移動経路上に配置され、移動通信端末により再選択された待ち受けセル情報と、同周波数内測定情報と、異周波数間測定情報と、異システム間測定情報とを含む移動経路情報等を記憶する。
【００１９】
移動経路情報処理部１６は、移動経路情報記憶部１５の記憶内容を読み出し、セルサーチ制御部１４に移動経路情報を提供するとともに、ＧＰＳシステム（Ｇｌｏｂａｌ  Ｐｏｓｉｔｉｏｎｉｎｇ  Ｓａｔｅｌｌｉｔｅ／Ｓｙｓｔｅｍ）等から移動経路情報を、セルサーチ制御部１４から待ち受けセル情報や各種測定情報等を取得し、移動経路情報記憶部１５の移動経路情報を更新する。
【００２０】
図２は、移動経路情報の構成例を表した図である。図２を参照すると、移動経路情報は、移動経路を識別する移動経路ＩＤと、移動経路の名前を示す移動経路名と、待ち受けセル情報の数を示す待ち受けセル情報数と、待ち受けセル情報数分の待ち受けセル情報とから構成される。
【００２１】
上記待ち受けセル情報は、報知情報として基地局２１〜２Ｎから通知されるセルを識別するセルＩＤと、待ち受けセルの周波数と、待ち受けセルのＣＰＩＣＨのスクランブリングコードと、同周波数内測定情報と、異周波数間測定情報と、異システム間測定情報とから構成される。
【００２２】
更に、上記同周波数内測定情報は、待ち受けセルから同周波数の隣接セルへ再選択した実績があるかを示す同周波数内セル再選択実績（情報）と、同周波数の待ち受け候補セル情報の数を示す待ち受け候補セル情報数と、同周波数の待ち受け候補セル情報数分の待ち受け候補セル情報とで構成される。
【００２３】
上記異周波数間測定情報も同様に、待ち受けセルから異周波数の隣接セルへ再選択した実績があるかを示す異周波数間セル再選択実績（情報）と、異周波数の待ち受け候補セル情報の数を示す待ち受け候補セル情報数と、異周波数の待ち受け候補セル情報数分の待ち受け候補セル情報とから構成される。
【００２４】
上記異システム間測定情報は、待ち受けセルから異システムの隣接セルへ再選択した実績があるかを示す異システム間セル再選択実績（情報）から構成される。
【００２５】
上記同周波数内測定情報と異周波数間測定情報とに含まれる待ち受け候補セル情報は、報知情報で通知されるセルを識別するセルＩＤと、待ち受けセルの周波数と、待ち受けセルのＣＰＩＣＨのスクランブリングコードとから構成される。
【００２６】
続いて、本実施形態に係る移動通信端末の動作について図面を参照して説明する。図３は、移動通信端末の動作モードを移動時節電モードとした状態において、所定時間間隔毎に、移動通信端末が実施する処理の流れを表したフローチャートである。図４〜図７は、図３のセルサーチ処理（ステップＳ１３）の詳細内容を表したフローチャートである。
【００２７】
図３を参照すると、まず、移動通信端末１を移動時節電モードとすると、移動経路情報処理部１６がＧＰＳシステム等から、少なくとも前後２点の位置情報よりなる自機の移動情報を取得して移動経路を認識し、移動経路情報記憶部１５の記憶内容から該当する移動経路情報を検索し読み出し、セルサーチ制御部１４に提供する（ステップＳ１１）。
【００２８】
前記移動経路情報を提供した後も、移動経路情報処理部１６は、ＧＰＳシステム等から取得した位置情報に基づいて、移動経路の変更有無を監視し、移動経路の変更が発生しているか否かを判定する（ステップＳ１２）。ここで、移動経路情報処理部１６が移動経路の変更が発生していると判定した場合、あるいは、対応する移動経路情報が存在しない場合は、移動時節電モードは解除され、通常通りの周辺セルサーチが行われる。
【００２９】
なお、ステップＳ１２において、移動経路情報処理部１６が移動経路の変更が発生していると判定した場合、あるいは、対応する移動経路情報が存在しない場合、直ちに移動時節電モードを解除するのではなく、通常通りの周辺セルサーチを行い、移動経路ＩＤを生成するとともに、日付や連番やユーザ入力内容等を組み合わせて移動経路名を決定し、移動経路情報として、移動経路ＩＤ、移動経路名、待ち受けセル情報を記憶することとしてもよい。
【００３０】
一方、ステップＳ１２において、移動経路情報処理部１６が移動経路の変更が発生していないと判定した場合には、セルサーチ処理が開始され、セルサーチ制御部１４は、移動経路情報に基づいてセルサーチ処理部１３に対してセルサーチ処理を実施するように指示し、セルサーチ処理部１３は、セルサーチ制御部１４からの指示に従いセルサーチ処理を実施する（ステップＳ１３）。このセルサーチ処理の詳細については、後に図４〜７を用いて説明する。
【００３１】
続いて、セルサーチ制御部１４は、セルサーチ処理部１３の測定結果に基づき、セル再選択が発生しているか否か、即ち、所定のセル再選択条件が満たされているか否かを判定する（ステップＳ１４）。ここで、セル再選択が発生していないと判定された場合には、ステップＳ１２に戻り、移動経路の変更の発生有無の監視と、セルサーチ処理と、必要に応じてセル再選択処理が繰り返される。
【００３２】
一方、ステップＳ１４において、セル再選択が発生していると判定された場合には、セルサーチ制御部１４は、その結果に従って、待ち受けセルの変更を実施する（ステップＳ１５）。続いて、セルサーチ制御部１４により移動経路情報処理部１６に対する待ち受けセル情報や各種測定情報の提供が行われ、移動経路情報処理部１６が、移動経路情報記憶部１５の移動経路情報を更新する（ステップＳ１６）。
【００３３】
より具体的には。移動経路情報処理部１６は、上記した待ち受けセル情報として、報知情報で通知されるセルＩＤと、待ち受けセルの周波数と、待ち受けセルのＣＰＩＣＨのスクランブリングコードを記憶する。
【００３４】
またステップＳ１５において同周波数の隣接セルへセル再選択が実施された場合、移動経路情報処理部１６は、同周波数内測定情報の同周波数内セル再選択実績を「セル再選択実績あり」に更新し、再選択した同周波数の隣接セルを待ち受け候補セルとして記憶する。
【００３５】
同様にステップＳ１５において異周波数の隣接セルへセル再選択が実施された場合、移動経路情報処理部１６は、異周波数間測定情報の異周波数間セル再選択実績を「セル再選択実績あり」に更新し、再選択した異周波数の隣接セルを待ち受け候補セルとして記憶する。
【００３６】
なお、上記各待ち受け候補セル（情報）の数Ｎａ（待ち受け候補セル情報数）が、同周波数内測定情報、異周波数内測定情報に書き込み可能な最大数を超える場合には、最古の再選択セルは破棄し、最新の再選択セルを最大数分だけ記憶することにより、移動経路情報の鮮度を保つことができる。
【００３７】
またステップＳ１５において異システムの隣接セルへセル再選択が実施された場合、移動経路情報処理部１６は、異システム間測定情報の異システム間セル再選択実績を、「セル再選択実績あり」に更新する。
【００３８】
以上により、セルの再選択とこれに伴う移動経路情報の更新が完了すると、ステップＳ１２に戻り、移動経路の変更の発生有無の監視と、セルサーチ処理と、必要に応じてセル再選択処理が繰り返される。
【００３９】
続いて、図４を参照して、セルサーチ処理（図３のステップＳ１３）について詳細に説明する。図４を参照すると、セルサーチ制御部１４は、始めに、同周波数内測定の必要性と測定対象セルとを決定し（ステップＳ２１）、次いで、異周波数間測定の必要性と測定対象セルとを決定し（ステップＳ２２）、異システム間測定の必要性を決定する（ステップＳ２３）。上記各ステップＳ２１、Ｓ２２、Ｓ２３の各種測定の必要性と測定対象セルの決定方法については後述する。
【００４０】
上記ステップＳ２１、Ｓ２２、Ｓ２３が終えると、セルサーチ制御部１４は、上記ステップＳ２１、Ｓ２２、Ｓ２３で得られた各種測定の必要性と測定対象セルの決定に従いセルサーチ処理部１３に対して必要なセルサーチ処理を実施するように指示し、セルサーチ処理部１３は、セルサーチ制御部１４からの指示に従いセルサーチ処理を実施する（ステップＳ２４）。
【００４１】
続いて、図５、図６、図７を参照して、図４のステップＳ２１〜Ｓ２３の各種測定の必要性と測定対象セルの決定方法について詳細に説明する。ここで、その際の判定に使用される待ち受けセルの品質値Ｓ［ｄＢ］について説明する。
【００４２】
なお、上記セルの品質値Ｓ［ｄＢ］は、例えば、Ｓ＝Ｑｑｕａｌｍｅａｓ−Ｑｑｕａｌｍｉｎで定義される。Ｑｑｕａｌｍｅａｓ［ｄＢ］は、セルの測定品質（ＣＰＩＣＨ  Ｅｃ／Ｎｏ）であり、Ｑｑｕａｌｍｉｎ［ｄＢ］は、セル選択するための最小の要求品質である。上記品質値Ｓとしては、ＳＩＲ（Ｓｉｇｎａｌ  ｔｏ  Ｉｎｔｅｒｆｅｒｅｎｃｅ  Ｒａｔｉｏ）等、セル選択・再選択処理において従来より使用されている指標を用いることも可能である。
【００４３】
図５は、図４のステップＳ２１において、セルサーチ制御部１４で実施される同周波数内測定の必要性と測定対象セルの決定フローを表したフローチャートである。図５を参照すると、セルサーチ制御部１４は、待ち受けセルの品質値Ｓと、３つのしきい値Ｓ＿Ｉｎｔｒａｓｅａｒｃｈ＿１、Ｓ＿Ｉｎｔｒａｓｅａｒｃｈ＿２、Ｓ＿Ｉｎｔｒａｓｅａｒｃｈ＿３（但し、Ｓ＿Ｉｎｔｒａｓｅａｒｃｈ＿１＞Ｓ＿Ｉｎｔｒａｓｅａｒｃｈ＿２＞Ｓ＿Ｉｎｔｒａｓｅａｒｃｈ＿３とする。）と比較する（ステップＳ３１）。
【００４４】
ここで、待ち受けセルの品質値ＳがＳ＿Ｉｎｔｒａｓｅａｒｃｈ＿１を超える場合（Ｓ＞Ｓ＿Ｉｎｔｒａｓｅａｒｃｈ＿１）は、待ち受けセルの品質が十分に良いと考えられるため、セルサーチ制御部１４は、同周波数内測定を不要と判定する（ステップＳ３２）。
【００４５】
また、上記Ｓ＿Ｉｎｔｒａｓｅａｒｃｈ＿１は、後述するＳ＿Ｉｎｔｅｒｓｅａｒｃｈ＿１やＳ＿ＳｅａｒｃｈＲＡＴ＿１に対して、Ｓ＿Ｉｎｔｒａｓｅａｒｃｈ＿１＞Ｓ＿Ｉｎｔｅｒｓｅａｒｃｈ＿１＞Ｓ＿ＳｅａｒｃｈＲＡＴ＿１を満たすよう設定される。これにより、後述する異周波数間測定の抑止条件（Ｓ＞Ｓ＿Ｉｎｔｅｒｓｅａｒｃｈ＿１）、異システム間測定の抑止条件（Ｓ＞Ｓ＿ＳｅａｒｃｈＲＡＴ＿１）も同時に満たされることになり、いかなる周波数・システムについても周辺セルサーチが抑止される。
【００４６】
一方、待ち受けセルの品質値ＳがＳ＿Ｉｎｔｒａｓｅａｒｃｈ＿２を超えるが、Ｓ＿Ｉｎｔｒａｓｅａｒｃｈ＿１以下である場合（Ｓ＜＝Ｓ＿Ｉｎｔｒａｓｅａｒｃｈ＿１  ＡＮＤ  Ｓ＞Ｓ＿Ｉｎｔｒａｓｅａｒｃｈ＿２）、セルサーチ制御部１４は、待ち受けセルの品質が十分に良くはないが、隣接セル情報すべてを対象とする同周波数内測定は不要とし、再選択実績のある隣接セルのみを対象とする条件付きの測定を行うべきと判定する（ステップＳ３３）。
【００４７】
より具体的には、セルサーチ制御部１４は、移動経路情報の同周波数内測定情報を参照し、待ち受けセルから同周波数の隣接セルへ再選択した実績がある場合にのみ、同周波数の待ち受け候補セルを同周波数内測定の対象と決定する。但し、同周波数の待ち受け候補セルが、同周波数の隣接セル情報に存在しない場合は、同周波数内測定は不要とする。
【００４８】
また、待ち受けセルの品質値ＳがＳ＿Ｉｎｔｒａｓｅａｒｃｈ＿３を超えるが、Ｓ＿Ｉｎｔｒａｓｅａｒｃｈ＿２以下である場合（Ｓ＜＝Ｓ＿Ｉｎｔｒａｓｅａｒｃｈ＿２  ＡＮＤ  Ｓ＞Ｓ＿Ｉｎｔｒａｓｅａｒｃｈ＿３）は、待ち受けセルの品質が悪いため、セルサーチ制御部１４は、同周波数内測定が必要と判定する（ステップＳ３４）。
【００４９】
ここでも、移動経路情報の同周波数内測定情報を利用することができ、待ち受けセルから同周波数の隣接セルへ再選択した実績がある場合は、セルサーチ制御部１４は、同周波数の待ち受け候補セルを同周波数内測定の対象と決定する。また、待ち受けセルから同周波数の隣接セルへ再選択した実績がない場合、セルサーチ制御部１４は、同周波数のすべての隣接セルを対象とした同周波数内測定が必要と決定する。ただし、待ち受けセルから同周波数の隣接セルへ再選択した実績がある場合であっても、同周波数の待ち受け候補セルが同周波数の隣接セル情報に存在しない場合は、同周波数のすべての隣接セルを対象とした同周波数内測定が必要と決定する。
【００５０】
また、待ち受けセルの品質値ＳがＳ＿Ｉｎｔｒａｓｅａｒｃｈ＿３以下である場合（Ｓ＜＝Ｓ＿Ｉｎｔｒａｓｅａｒｃｈ＿３）は、待ち受けセルの品質が劣悪であると考えられるため、セルサーチ制御部１４は、待ち受けセルから同周波数の隣接セルへ再選択した実績があるかどうか又は同周波数の待ち受け候補セルの有無に拘わらず、同周波数のすべての隣接セルを対象とした同周波数内測定が必要と判定する（ステップＳ３５）。
【００５１】
図６は、図４のステップＳ２２において、セルサーチ制御部１４で実施される異周波数間測定の必要性と測定対象セルの決定フローを表したフローチャートである。図６を参照すると、始めにセルサーチ制御部１４は、異周波数間の隣接セル情報の有無を確認する（ステップＳ４１）。
【００５２】
ここで、異周波数間の隣接セル情報が無い場合は、セルサーチ制御部１４は、異周波数間測定を不要と判定する（ステップＳ４２）。
【００５３】
続いて、セルサーチ制御部１４は、隣接待ち受けセルの品質値Ｓと、３つのしきい値Ｓ＿Ｉｎｔｅｒｓｅａｒｃｈ＿１、Ｓ＿Ｉｎｔｅｒｓｅａｒｃｈ＿２、Ｓ＿Ｉｎｔｅｒｓｅａｒｃｈ＿３（但し、Ｓ＿Ｉｎｔｅｒｓｅａｒｃｈ＿１＞Ｓ＿Ｉｎｔｅｒｓｅａｒｃｈ＿２＞Ｓ＿Ｉｎｔｅｒｓｅａｒｃｈ＿３とする。）と比較する（ステップＳ４３）。
【００５４】
ここで、待ち受けセルの品質値ＳがＳ＿Ｉｎｔｅｒｓｅａｒｃｈ＿１を超える場合（Ｓ＞Ｓ＿Ｉｎｔｅｒｓｅａｒｃｈ＿１）は、待ち受けセルの品質が十分に良いと考えられるため、セルサーチ制御部１４は、異周波数間測定は不要と判定する（ステップＳ４４）。
【００５５】
一方、待ち受けセルの品質値ＳがＳ＿Ｉｎｔｅｒｓｅａｒｃｈ＿２を超えるが、Ｓ＿Ｉｎｔｅｒｓｅａｒｃｈ＿１以下である場合（Ｓ＜＝Ｓ＿Ｉｎｔｅｒｓｅａｒｃｈ＿１  ＡＮＤ  Ｓ＞Ｓ＿Ｉｎｔｅｒｓｅａｒｃｈ＿２）、セルサーチ制御部１４は、待ち受けセルの品質が十分に良くはないが、隣接セル情報すべてを対象とする異周波数間測定は不要とし、再選択実績のある隣接セルのみを対象とする条件付きの測定を行うべきと判定する（ステップＳ４５）。
【００５６】
より具体的には、セルサーチ制御部１４は、移動経路情報の異周波数間測定情報を参照し、待ち受けセルから異周波数の隣接セルへ再選択した実績がある場合にのみ、異周波数の待ち受け候補セルを異周波数間測定の対象と決定する。但し、異周波数の待ち受け候補セルが異周波数の隣接セル情報に存在しない場合は、異周波数間測定は不要とする。
【００５７】
また、待ち受けセルの品質値ＳがＳ＿Ｉｎｔｅｒｓｅａｒｃｈ＿３を超えるが、Ｓ＿Ｉｎｔｅｒｓｅａｒｃｈ＿２以下である場合（Ｓ＜＝Ｓ＿Ｉｎｔｒａｓｅａｒｃｈ＿２  ＡＮＤ  Ｓ＞Ｓ＿Ｉｎｔｒａｓｅａｒｃｈ＿３）は、待ち受けセルの品質が悪いため、セルサーチ制御部１４は、異周波数間測定も行うべきと判定する（ステップＳ４６）。
【００５８】
ここでも、移動経路情報の異周波数間測定情報を利用することができ、待ち受けセルから異周波数の隣接セルへ再選択した実績がある場合は、セルサーチ制御部１４は、異周波数の待ち受け候補セルを異周波数間測定の対象と決定する。また、待ち受けセルから異周波数の隣接セルへ再選択した実績がない場合、セルサーチ制御部１４は、異周波数のすべての隣接セルを対象とした異周波数間測定が必要と決定する。ただし、待ち受けセルから異周波数の隣接セルへ再選択した実績がある場合であっても、異周波数の待ち受け候補セルが異周波数の隣接セル情報に存在しない場合は、異周波数のすべての隣接セルを対象とした異周波数間測定が必要と決定する。
【００５９】
また、待ち受けセルの品質値ＳがＳ＿Ｉｎｔｅｒｓｅａｒｃｈ＿３以下である場合（Ｓ＜＝Ｓ＿Ｉｎｔｅｒｓｅａｒｃｈ＿３）は、待ち受けセルの品質が劣悪であると考えられるため、セルサーチ制御部１４は、待ち受けセルから異周波数の隣接セルへ再選択した実績があるかどうか又は異周波数の待ち受け候補セルの有無に拘わらず、異周波数のすべての隣接セルを対象とした異周波数間測定が必要と判定する（ステップＳ４７）。
【００６０】
図７は、図４のステップＳ２３において、セルサーチ制御部１４で実施される異システム間測定の必要性と測定対象セルの決定フローを表したフローチャートである。図７を参照すると、始めにセルサーチ制御部１４は、異システム間の隣接セル情報の有無を確認する（ステップＳ５１）。
【００６１】
ここで、異システム間の隣接セル情報が無い場合は、セルサーチ制御部１４は、異システム間測定を不要と判定する（ステップＳ５２）。
【００６２】
続いて、セルサーチ制御部１４は、隣接待ち受けセルの品質値Ｓと、３つのしきい値Ｓ＿ＳｅａｒｃｈＲＡＴ＿１、Ｓ＿ＳｅａｒｃｈＲＡＴ＿２（但し、Ｓ＿ＳｅａｒｃｈＲＡＴ＿１＞Ｓ＿ＳｅａｒｃｈＲＡＴ＿２とする。）と比較する（ステップＳ５３）。
【００６３】
ここで、待ち受けセルの品質値ＳがＳ＿ＳｅａｒｃｈＲＡＴ＿１を超える場合（Ｓ＞Ｓ＿ＳｅａｒｃｈＲＡＴ＿１）は、待ち受けセルの品質が十分に良いと考えられるため、セルサーチ制御部１４は、異システム間測定を不要と判定する（ステップＳ５４）。
【００６４】
一方、待ち受けセルの品質値ＳがＳ＿ＳｅａｒｃｈＲＡＴ＿２を超えるが、Ｓ＿ＳｅａｒｃｈＲＡＴ＿１以下である場合（Ｓ＜＝Ｓ＿ＳｅａｒｃｈＲＡＴ＿１  ＡＮＤ  Ｓ＞Ｓ＿ＳｅａｒｃｈＲＡＴ＿２）、セルサーチ制御部１４は、待ち受けセルの品質が十分に良くはないため、条件付きで異システム間測定を行うべきと判定する（ステップＳ５５）。
【００６５】
より具体的には、セルサーチ制御部１４は、移動経路情報の異システム間測定情報を参照し、待ち受けセルから異システムの隣接セルへ再選択した実績がある場合にのみ、異システム間測定が必要と決定する。反対に、待ち受けセルから異システムの隣接セルへ再選択した実績が無い場合は、セルサーチ制御部１４は、異システム間測定は不要であると判定する。
【００６６】
また、待ち受けセルの品質値ＳがＳ＿ＳｅａｒｃｈＲＡＴ＿２以下である場合（Ｓ＜＝Ｓ＿ＳｅａｒｃｈＲＡＴ＿２）は、待ち受けセルの品質が劣悪であると考えられるため、セルサーチ制御部１４は、待ち受けセルから異システムの隣接セルへ再選択した実績があるかどうかに拘わらず、異システム間測定が必要と判定する（ステップＳ５６）。
【００６７】
図８、図１０、図１２は、複数のセル環境を表した概念モデル図である。図８、図１０、図１２は、説明のため簡略化して表現した概念図であり、実際のセル環境とは異なる部分もあるが、以下、これらの図を参照して本実施形態の動作と効果を説明する。
【００６８】
図８を参照すると、１つのセクタ（中心角１２０度の扇形状）が、１つの周波数とスクランブリングコードにより識別されるセルＣ０１〜Ｃ３９が表されている。
【００６９】
ここで、移動通信端末１が、セルＣ０１からセルＣ３３に向かって図中太矢印で示した経路を移動する場合を考える。移動経路が同じ場合、待ち受けセルは、「Ｃ０１→Ｃ１３→Ｃ１１→Ｃ２２→Ｃ２１→Ｃ３３」と変わっていくケースが普通である。また、セルの品質状況によっては、Ｃ１３、Ｃ２２の代わりにＣ１５、Ｃ２３が選択され、例えば、「Ｃ０１→Ｃ１５→Ｃ１１→Ｃ２３→Ｃ２１→Ｃ３３」と変わっていく程度のことが考えられる。
【００７０】
図９は、図８において、セルＣ０１からＣ３３へ移動した際に、過去の移動経路が「Ｃ０１→Ｃ１３→Ｃ１１→Ｃ２２→Ｃ２１→Ｃ３３」及び「Ｃ０１→Ｃ１５→Ｃ１１→Ｃ２３→Ｃ２１→Ｃ３３」であった場合において、待ち受けセルと、隣接セルと、待ち受け候補セルとの関係を示している。従来の方式では、図９に示された多くの隣接セルが測定対象となり検出される可能性があるが、その多くが選択されずに無駄となり得る。
【００７１】
しかしながら、上記した実施形態の判定方式によれば、待ち受けセルの品質値ＳがＳ＿Ｉｎｔｒａｓｅａｒｃｈ＿１（第１のしきい値）とＳ＿Ｉｎｔｒａｓｅａｒｃｈ＿３（第２のしきい値）との間にあり、待ち受け候補セルを再選択可能である場合には、待ち受け候補セル以外のセルの測定が不要となるという顕著な効果を奏する。
【００７２】
図１０は、２つの周波数Ｆ１、Ｆ２が存在し、Ｆ１周波数のみが存在するエリアと、Ｆ１・Ｆ２周波数双方が存在するエリアと、Ｆ２周波数のみが存在するエリアとがある複数のセル環境を表した概念モデル図である。図１０に示すように、周波数のエリアが混在するエリアで、移動通信端末１が、セルＣ０１からセルＣ３３に向かって図中太矢印で示した経路を移動する場合を考える。
【００７３】
図１１は、図１０において、セルＣ０１からＣ３３へ移動した際に、過去の移動経路が「Ｃ０１→Ｃ１３→Ｃ１１→Ｃ２２→Ｃ２１→Ｃ３３」及び「Ｃ０１→Ｃ１５→Ｃ１１→Ｃ２３→Ｃ２１→Ｃ３３」であった場合において、待ち受けセルと、隣接セルと、待ち受け候補セルとの関係を示している。従来の方式では、図１１に示された異周波数を含む多くの隣接セルが測定対象となり検出される可能性があるが、その多くが選択されずに無駄となり得る。
【００７４】
しかしながら、上記した実施形態の判定方式によれば、該待ち受けセルの品質値ＳがＳ＿Ｉｎｔｅｒｓｅａｒｃｈ＿１（第１のしきい値）を超えている場合、又は、品質値ＳがＳ＿Ｉｎｔｅｒｓｅａｒｃｈ＿１（第１のしきい値）とＳ＿Ｉｎｔｅｒｓｅａｒｃｈ＿２（第３のしきい値）との間［第１、第２のしきい値間の上側区間］にあり、同周波数の隣接セルのみに再選択実績があるような場合には、異周波数のセルの測定が不要となるという顕著な効果を奏する。
【００７５】
また、上記した実施形態の判定方式によれば、品質値ＳがＳ＿Ｉｎｔｅｒｓｅａｒｃｈ＿２（第３のしきい値）とＳ＿Ｉｎｔｅｒｓｅａｒｃｈ＿３（第２のしきい値）との間［第１、第２のしきい値間の下側区間］にある場合であっても、異周波数の待ち受け候補セルを再選択可能である場合には、該異周波数において、待ち受け候補セル以外のセルの測定が不要となるという顕著な効果を奏する。
【００７６】
図１２は、２つの異なる移動体通信システムが共存するエリアと、いずれか一方の移動体通信システムのみが存在するエリアとがあるセル環境を表した概念モデル図である。図１２に示すように、２つの異なる移動体通信システムが混在するエリアで、移動通信端末１が、セルＣ０１からセルＣ３３に向かって図中太矢印で示した経路を移動する場合を考える。
【００７７】
従来の方式では、図１２に示された２つの移動体通信システムに属する多くの隣接セルが測定対象となり検出される可能性があるが、その多くが選択されずに無駄となり得る。
【００７８】
しかしながら、上記した実施形態の判定方式によれば、該待ち受けセルの品質値ＳがＳ＿ＳｅａｒｃｈＲＡＴ＿１（第１のしきい値）を超えている場合、又は、品質値ＳがＳ＿ＳｅａｒｃｈＲＡＴ＿１（第１のしきい値）とＳ＿ＳｅａｒｃｈＲＡＴ＿２（第２のしきい値）との間にあり、システム内の同周波数又は異周波数の隣接セルに再選択実績があるような場合には、異システムのセルの測定が不要となるという顕著な効果を奏する。
【００７９】
以上、本実施形態では、移動経路情報として、同周波数内測定情報を記憶しておき、待ち受けセルの品質値が、同周波数用の３つのしきい値で区切った４段階のいずれの段階に属するかによって、各段階毎に同周波数内測定の必要性と測定対象セルを決定しているため、同周波数の再選択すべきセルを優先的に検出し再選択して、再選択されない同周波数セルの測定を抑制し、消費電力を低減することが可能となっている。
【００８０】
また、移動経路情報として、異周波数間測定情報を記憶しておき、待ち受けセルの品質値が、同周波数用の３つのしきい値とは別に、異周波数用の３つのしきい値で区切った４段階のいずれの段階に属するかによって、異周波数間測定の必要性と測定対象を決定している。従って、同周波数の再選択すべきセルを優先的に検出し再選択して、異周波数セルの測定を抑制するとともに、異周波数間測定が必要となる場合には、異周波数の再選択すべきセルを優先的に検出し再選択して、再選択されない異周波数セルの測定を抑制し、消費電力を低減することが可能となっている。
【００８１】
また更に、移動経路情報として、異システム間測定情報を記憶しており、待ち受けセルの品質値が、同周波数・異周波数用の３つのしきい値とは別に、異システム用の２つのしきい値で区切った３段階いずれの段階に属するかによって、異システム間測定の必要性と測定対象を決定している。従って、システム内の同周波数または異周波数の再選択すべきセルを優先的に検出し再選択して、異システムのセルの測定を抑制し、消費電力を低減することが可能となっている。
【００８２】
以上、本発明の好適な実施形態を説明したが、本発明の技術的範囲は、上述した実施形態に限定されるものではなく、既知の移動経路の移動中は、予め用意しておいた移動経路情報に従って、その現在位置に対応するセルを対象として周辺セルサーチを実行するという本発明の要旨を逸脱しない範囲で、各種の変形・置換をなしうることが可能であることはいうまでもない。
【００８３】
上記した実施形態では、その原理のみを説明したが、移動経路情報処理部１６が行う移動経路情報の取得や移動経路の認識（マッチング）を、カーナビゲーションシステムとの連係により行うこととしても良い。例えば、カーナビゲーションシステムから走行中の道路情報等を取得することにより、移動経路の認識を簡略化・精緻化することが可能となる。
【００８４】
本発明の更なる応用例としては、電車・バス等の移動経路が変化しない交通機関に乗車時に、赤外線通信・ブルートゥース、フェリカ等との無線通信により、移動経路情報の少なくとも一部を取得するよう構成することができる。この場合も移動経路の認識を簡略化・精緻化することが可能となる。
【００８５】
また、高速移動中にはセル再選択処理の頻度が増加し、消費電力の増大が懸念されるが、移動経路が限定される高速道路や電車・バス等乗車等においては、その経路情報等を活用し待ち受け候補セルを予め登録しておくことや、経路からのコースアウト判定に幅を持たせることにより、セルサーチ処理をより効率的に行うことが可能となる。
【００８６】
また、上記した実施形態では、待ち受け中の周辺セルサーチ処理に本発明を適用した例を挙げて説明したが、個別チャネル通信中の異周波数間測定や異システム間測定処理や、個別チャネル通信中のハンドオーバ処理時にも同様に適用することが可能である。
【図面の簡単な説明】
【００８７】
【図１】本発明の一実施形態に係る移動通信端末の構成を表した図である。
【図２】本発明の一実施形態に係る移動通信端末で用いる移動経路情報の構成例を表した図である。
【図３】本発明の一実施形態に係る移動通信端末が実施する処理の流れを表したフローチャートである。
【図４】図３のセルサーチ処理の詳細を表したフローチャートである。
【図５】本発明の一実施形態に係る移動通信端末のセルサーチ制御部における同周波数内測定の必要性と測定対象セルの決定方法を表したフローチャートである。
【図６】本発明の一実施形態に係る移動通信端末のセルサーチ制御部における異周波数間測定の必要性と測定対象セルの決定方法を表したフローチャートである。
【図７】本発明の一実施形態に係る移動通信端末のセルサーチ制御部における異システム間測定の必要性の決定方法を表したフローチャートである。
【図８】本実施形態の動作と効果を説明するため、セルレイアウトと移動経路を簡略化して表した概念図である。
【図９】図８の矢印に従って移動した際の待ち受けセルと、隣接セルと、待ち受け候補セルとの関係を示している。
【図１０】本実施形態の動作と効果を説明するため、セルレイアウトと移動経路を簡略化して表した概念図である。
【図１１】図１０の矢印に従って移動した際の待ち受けセルと、隣接セルと、待ち受け候補セルとの関係を示している。
【図１２】本実施形態の動作と効果を説明するため、セルレイアウトと移動経路を簡略化して表した概念図である。
【符号の説明】
【００８８】
１  移動通信端末
３  基地局制御装置
１１  アンテナ
１２  無線受信部
１３  セルサーチ処理部
１４  セルサーチ制御部
１５  移動経路情報記憶部
１６  移動経路情報処理部
２１、２２、２Ｎ  基地局
Ｃ０１〜Ｃ３９  セル
【図１】
2007228242.tif 000003
【図２】
2007228242.tif 000004
【図３】
2007228242.tif 000005
【図４】
2007228242.tif 000006
【図５】
2007228242.tif 000007
【図６】
2007228242.tif 000008
【図７】
2007228242.tif 000009
【図８】
2007228242.tif 000010
【図９】
2007228242.tif 000011
【図１０】
2007228242.tif 000012
【図１１】
2007228242.tif 000013
【図１２】
2007228242.tif 000014